(57)【要約】      （修正有）【課題】ユーザの操作負担を増加させることなく、携帯端末の使用規制を適切に行えるようにする。【解決手段】携帯電話装置１０の規制制御手段１３は、道路情報及び電車経路情報に優先して、動作禁止情報記憶手段１６が記憶する動作禁止情報に基づいて、携帯電話装置１０の使用規制を行うか否かを判定する。使用規制を行うと判定すると、携帯電話装置１０の電源をオフにすると決定する。次に、規制制御手段１３は、電車経路情報に優先して、道路情報記憶手段１４が記憶する道路情報に基づいて、携帯電話装置１０の使用規制を行うか否かを判定する。使用規制を行うと判定すると、携帯電話装置１０をドライブモードに設定すると決定する。そして規制制御手段１３は電車経路情報記憶手段１５に記憶する電車経路情報に基づいて携帯電話装置１０の使用規制を行うか否かを判定する。使用規制を行うと判定すると、携帯電話装置１０をマナーモードに設定する。【選択図】図２
2007274427.tif 000002
【特許請求の範囲】
【請求項１】
携帯端末の使用を規制する制御を行う携帯端末制御システムであって、
前記携帯端末は、
当該携帯端末の使用を規制するための条件である規制条件を記憶する複数の規制条件記憶手段と、
前記各規制条件記憶手段が記憶する規制条件に基づいて、当該携帯端末の使用を規制する使用規制手段とを含み、
前記各規制条件記憶手段は、相互に異なる条件を示す規制条件を記憶し、
前記使用規制手段は、所定の優先順位に従って前記各規制条件記憶手段が記憶する規制条件に合致するか否かを判定することによって、前記携帯端末の使用を規制する
ことを特徴とする携帯端末制御システム。
【請求項２】
各規制条件記憶手段は、相互に規制レベルの異なる条件を示す規制条件を記憶し、
使用規制手段は、規制レベルが高い順に前記各規制条件記憶手段が記憶する規制条件に合致するか否かを判定することによって、携帯端末の使用を規制する
請求項１記載の携帯端末制御システム。
【請求項３】
携帯端末は、規制条件記憶手段として、携帯端末の使用そのものを禁止すべき場所を示す条件である使用禁止条件を記憶する使用禁止条件記憶手段を含み、
使用規制手段は、
前記各規制条件記憶手段が記憶する規制条件のうち、前記使用禁止条件記憶手段が記憶する使用禁止条件に合致するか否かを優先して判定し、
前記使用禁止条件に合致すると判定すると、前記携帯端末を電源断状態に制御する
請求項１又は請求項２記載の携帯端末制御システム。
【請求項４】
携帯端末は、規制条件記憶手段として、道路の位置を示す条件である道路位置条件を記憶する道路位置条件記憶手段を含み、
使用規制手段は、使用禁止条件記憶手段が記憶する使用禁止条件の次に優先して、前記道路位置条件記憶手段が記憶する道路位置条件に合致するか否かを判定し、
前記道路位置条件に合致すると判定すると、前記携帯端末を操作禁止状態に制御する
請求項３記載の携帯端末制御システム。
【請求項５】
携帯端末は、当該携帯端末の位置を示す位置情報を求める位置情報算出手段を含み、
規制条件記憶手段は、規制条件として、前記携帯端末の使用を規制すべき位置を示す位置情報を記憶し、
使用規制手段は、
前記位置情報算出手段が求めた位置情報に示される位置が、前記規制条件記憶手段が記憶する位置情報に示される位置に合致するか否かを判定する位置判定手段と、
前記位置判定手段によって前記規制条件記憶手段が記憶する位置情報に示される位置に合致すると判定されると、前記携帯端末の使用を規制する規制制御手段とを有する
請求項１から請求項４のうちのいずれか１項に記載の携帯端末制御システム。
【請求項６】
使用規制手段は、位置情報算出手段が求めた位置情報に基づいて、携帯端末の移動速度を求める移動速度算出手段を有し、
規制制御手段は、前記位置情報算出手段が求めた位置情報に加えて、前記移動速度算出手段が求めた移動速度に基づいて、前記携帯端末の使用を規制する
請求項５記載の携帯端末制御システム。
【請求項７】
規制条件を管理する規制条件管理サーバを備え、
携帯端末は、規制条件の送信要求を、通信ネットワークを介して前記規制条件管理サーバに送信する規制条件要求手段を含み、
前記規制条件管理サーバは、
規制条件を予め蓄積する規制条件蓄積手段と、
前記携帯端末から送信要求を受信すると、前記規制条件蓄積手段から規制条件を抽出する規制条件抽出手段と、
前記規制条件抽出手段が抽出した規制条件を、通信ネットワークを介して前記携帯端末に送信する規制条件送信手段とを含む
請求項１から請求項６のうちのいずれか１項に記載の携帯端末制御システム。
【請求項８】
規制条件要求手段は、携帯端末の位置を示す位置情報を含む送信要求を、通信ネットワークを介して規制条件管理サーバに送信し、
規制条件抽出手段は、規制条件蓄積手段から、前記携帯端末から受信した送信要求に含まれる位置情報に示される位置から所定距離以内に対応する規制条件を抽出する
請求項７記載の携帯端末制御システム。
【請求項９】
携帯端末の使用を規制する制御を行う携帯端末であって、
当該携帯端末の使用を規制するための条件である規制条件を記憶する複数の規制条件記憶手段と、
前記各規制条件記憶手段が記憶する規制条件に基づいて、当該携帯端末の使用を規制する使用規制手段とを備え、
前記各規制条件記憶手段は、相互に異なる条件を示す規制条件を記憶し、
前記使用規制手段は、所定の優先順位に従って前記各規制条件記憶手段が記憶する規制条件に合致するか否かを判定することによって、前記携帯端末の使用を規制する
ことを特徴とする携帯端末。
【請求項１０】
携帯端末の使用を規制する制御を行う携帯端末制御方法であって、
前記携帯端末の使用を規制するための条件である規制条件を複数記憶する規制条件記憶ステップと、
前記規制条件記憶ステップで記憶した各規制条件に基づいて、前記携帯端末の使用を規制する使用規制ステップとを含み、
前記規制条件記憶ステップで、相互に異なる条件を示す規制条件を記憶し、
前記使用規制ステップで、所定の優先順位に従って、記憶した各規制条件に合致するか否かを判定することによって、前記携帯端末の使用を規制する
ことを特徴とする携帯端末制御方法。
【請求項１１】
携帯端末の使用を規制する制御を行うための携帯端末制御プログラムであって、
コンピュータに、
前記携帯端末の使用を規制するための条件である規制条件を複数記憶する規制条件記憶処理と、
前記規制条件記憶処理で記憶した各規制条件に基づいて、前記携帯端末の使用を規制する使用規制処理とを実行させ、
前記規制条件記憶処理で、相互に異なる条件を示す規制条件を記憶する処理を実行させ、
前記使用規制処理で、所定の優先順位に従って、記憶した各規制条件に合致するか否かを判定することによって、前記携帯端末の使用を規制する処理を実行させる
ための携帯端末制御プログラム。
【発明の詳細な説明】
【技術分野】
【０００１】
本発明は、携帯端末の使用規制を制御する携帯端末制御システム、携帯端末制御方法及び携帯端末制御プログラムに関する。また、本発明は、携帯端末制御方法を用いた携帯端末に関する。
【背景技術】
【０００２】
昨今、携帯電話機等の携帯端末は、既に飽和寸前といわれるまで普及しており、携帯端末を使用するユーザも千差万別である。そのため、一般のモラルに反して携帯端末を使用するユーザも増加しており、社会問題の一つとなっている。例えば、携帯端末の操作方法が分からないという理由や、携帯端末を操作するのが面倒であるという理由等によって、病院や映画館等にいる場合であっても、ユーザが携帯端末の電源をオンにしたままにしていることがある。また、車を運転中である場合や電車内にいる場合であっても、ユーザが携帯端末をドライブモードやマナーモードに設定しないことがある。
【０００３】
携帯端末の使用を自動的に規制制御できるシステムとして、例えば、特許文献１には、携帯端末の現在位置にもとづいて規制エリア内にいるか否かを判断し、携帯端末の少なくとも一部の機能を規制する規制システムが記載されている。
【０００４】
【特許文献１】特開２００５−１０９５７４号公報（段落００５６−００５９、図１０）
【発明の開示】
【発明が解決しようとする課題】
【０００５】
特許文献１に記載された規制システムによれば、ユーザの操作負担を増加させることなく、携帯端末の現在の位置情報を取得することによって、携帯端末の規制制御を自動的に行うことができる。しかし、携帯端末の位置に基づいて同時に複数種類の規制条件が成立しうる場合に、携帯端末を適切に使用規制できるとは限らない。
【０００６】
例えば、ユーザが車を運転しているときに偶然線路付近を走行した場合には、ユーザが車を運転中であるという条件が成立する可能性と、ユーザが電車内にいるという条件が成立する可能性とがある。この場合、ユーザが車を運転中であるにもかかわらず、ユーザが電車内にいるという条件に基づいて、携帯端末がマナーモードに設定されてしまったとする。すると、車を運転中であるにもかかわらず、使用規制後もユーザが携帯端末を操作することができてしまい、携帯端末の使用を適切に規制できない。
【０００７】
そこで、本発明は、ユーザの操作負担を増加させることなく、携帯端末の使用規制を適切に行える携帯端末制御システム、携帯端末、携帯端末制御方法及び携帯端末制御プログラムを提供することを目的とする。
【課題を解決するための手段】
【０００８】
本発明による携帯端末制御システムは、携帯端末（例えば、携帯電話装置１０）の使用を規制する制御を行う携帯端末制御システムであって、携帯端末は、当該携帯端末の使用を規制するための条件である規制条件（例えば、道路情報や電車経路情報、動作禁止情報）を記憶する複数の規制条件記憶手段（例えば、道路情報記憶手段１４や電車経路情報記憶手段１５、動作禁止情報記憶手段１６によって実現される）と、各規制条件記憶手段が記憶する規制条件に基づいて、当該携帯端末の使用を規制する使用規制手段（例えば、規制制御手段１３によって実現される）とを含み、各規制条件記憶手段は、相互に異なる条件を示す規制条件を記憶し、使用規制手段は、所定の優先順位に従って各規制条件記憶手段が記憶する規制条件に合致するか否かを判定することによって、携帯端末の使用を規制することを特徴とする。
【０００９】
また、携帯端末制御システムにおいて、各規制条件記憶手段は、相互に規制レベル（例えば、電源オフ状態、ドライブモード又はマナーモード）の異なる条件を示す規制条件を記憶し、使用規制手段は、規制レベルが高い順に各規制条件記憶手段が記憶する規制条件に合致するか否かを判定することによって、携帯端末の使用を規制するものであってもよい。
【００１０】
また、携帯端末制御システムにおいて、携帯端末は、規制条件記憶手段として、携帯端末の使用そのものを禁止すべき場所を示す条件である使用禁止条件（例えば、動作禁止情報）を記憶する使用禁止条件記憶手段（例えば、動作禁止情報記憶手段１６によって実現される）を含み、使用規制手段は、各規制条件記憶手段が記憶する規制条件のうち、使用禁止条件記憶手段が記憶する使用禁止条件に合致するか否かを優先して判定し、使用禁止条件に合致すると判定すると、携帯端末を電源断状態に制御するものであってもよい。
【００１１】
また、携帯端末制御システムにおいて、携帯端末は、規制条件記憶手段として、道路の位置を示す条件である道路位置条件（例えば、道路情報）を記憶する道路位置条件記憶手段（例えば、道路情報記憶手段１４によって実現される）を含み、使用規制手段は、使用禁止条件記憶手段が記憶する使用禁止条件の次に優先して、道路位置条件記憶手段が記憶する道路位置条件に合致するか否かを判定し、道路位置条件に合致すると判定すると、携帯端末を操作禁止状態に制御するものであってもよい。
【００１２】
また、携帯端末制御システムにおいて、携帯端末は、当該携帯端末の位置を示す位置情報（例えば、緯度及び経度）を求める位置情報算出手段（例えば、ＧＰＳ情報受信処理手段１２によって実現される）を含み、規制条件記憶手段は、規制条件として、携帯端末の使用を規制すべき位置を示す位置情報（例えば、緯度及び経度）を記憶し、使用規制手段は、位置情報算出手段が求めた位置情報に示される位置が、規制条件記憶手段が記憶する位置情報に示される位置に合致するか否かを判定する位置判定手段（例えば、規制制御手段１３によって実現される）と、位置判定手段によって規制条件記憶手段が記憶する位置情報に示される位置に合致すると判定されると、携帯端末の使用を規制する規制制御手段（例えば、規制制御手段１３によって実現される）とを有するものであってもよい。
【００１３】
また、携帯端末制御システムにおいて、使用規制手段は、位置情報算出手段が求めた位置情報に基づいて、携帯端末の移動速度を求める移動速度算出手段（例えば、規制制御手段１３によって実現される）を有し、規制制御手段は、位置情報算出手段が求めた位置情報に加えて、移動速度算出手段が求めた移動速度に基づいて、携帯端末の使用を規制するものであってもよい。
【００１４】
また、携帯端末制御システムは、規制条件を管理する規制条件管理サーバ（例えば、網側サーバ２０）を備え、携帯端末は、規制条件の送信要求（例えば、道路情報や電車経路情報、動作禁止情報のダウンロード要求）を、通信ネットワークを介して規制条件管理サーバに送信する規制条件要求手段（例えば、携帯電話送受信処理手段１１によって実現される）を含み、規制条件管理サーバは、規制条件を予め蓄積する規制条件蓄積手段（例えば、道路情報データベース２２や、電車経路情報データベース２３、動作禁止情報データベース２４によって実現される）と、携帯端末から送信要求を受信すると、規制条件蓄積手段から規制条件を抽出する規制条件抽出手段（例えば、端末要求分析部２１によって実現される）と、規制条件抽出手段が抽出した規制条件を、通信ネットワークを介して携帯端末に送信する規制条件送信手段（例えば、端末要求分析部２１によって実現される）とを含むものであってもよい。
【００１５】
また、携帯端末制御システムにおいて、規制条件要求手段は、携帯端末の位置を示す位置情報を含む送信要求を、通信ネットワークを介して規制条件管理サーバに送信し、規制条件抽出手段は、規制条件蓄積手段から、携帯端末から受信した送信要求に含まれる位置情報に示される位置から所定距離（例えば、１０ｋｍ）以内に対応する規制条件を抽出するものであってもよい。
【００１６】
本発明による携帯端末は、携帯端末の使用を規制する制御を行う携帯端末であって、当該携帯端末の使用を規制するための条件である規制条件を記憶する複数の規制条件記憶手段と、各規制条件記憶手段が記憶する規制条件に基づいて、当該携帯端末の使用を規制する使用規制手段とを備え、各規制条件記憶手段は、相互に異なる条件を示す規制条件を記憶し、使用規制手段は、所定の優先順位に従って各規制条件記憶手段が記憶する規制条件に合致するか否かを判定することによって、携帯端末の使用を規制することを特徴とする。
【００１７】
本発明による携帯端末制御方法は、携帯端末の使用を規制する制御を行う携帯端末制御方法であって、携帯端末の使用を規制するための条件である規制条件を複数記憶する規制条件記憶ステップと、規制条件記憶ステップで記憶した各規制条件に基づいて、携帯端末の使用を規制する使用規制ステップとを含み、規制条件記憶ステップで、相互に異なる条件を示す規制条件を記憶し、使用規制ステップで、所定の優先順位に従って、記憶した各規制条件に合致するか否かを判定することによって、携帯端末の使用を規制することを特徴とする。
【００１８】
本発明による携帯端末制御プログラムは、携帯端末の使用を規制する制御を行うための携帯端末制御プログラムであって、コンピュータに、携帯端末の使用を規制するための条件である規制条件を複数記憶する規制条件記憶処理と、規制条件記憶処理で記憶した各規制条件に基づいて、携帯端末の使用を規制する使用規制処理とを実行させ、規制条件記憶処理で、相互に異なる条件を示す規制条件を記憶する処理を実行させ、使用規制処理で、所定の優先順位に従って、記憶した各規制条件に合致するか否かを判定することによって、携帯端末の使用を規制する処理を実行させるためのものである。
【発明の効果】
【００１９】
本発明によれば、相互に異なる複数の規制条件に基づいて、所定の優先順位に従って規制条件に合致するか否かを判定することによって、携帯端末の使用を規制する。予め設定された規制条件に従って携帯端末の使用を規制できるので、ユーザの操作負担を増加させることなく、携帯端末の使用規制を行うことができる。また、所定の優先順位に従って規制条件を適用して携帯端末の使用を規制できるので、携帯端末の使用規制を適切に行うことができる。従って、ユーザの操作負担を増加させることなく、携帯端末の使用規制を適切に行えるようにすることができる。
【００２０】
また、本発明において、規制レベルが高い順に規制条件に合致するか否かを判定することによって携帯端末の使用を規制するように構成すれば、規制レベルが高い順に規制条件を適用して携帯端末の使用を規制でき、携帯端末の使用規制を適切に行うことができる。
【００２１】
また、本発明において、規制条件を管理する規制条件管理サーバを備え、規制条件管理サーバが要求に応じて規制条件を携帯端末に送信するように構成すれば、規制条件管理サーバが管理する規制条件を更新することによって、携帯端末の使用規制を行うための規制条件を随時一括して更新することができる。
【発明を実施するための最良の形態】
【００２２】
以下、本発明の実施の形態を図面を参照して説明する。図１は、本発明による携帯端末制御システムの構成の一例を示すブロック図である。図１に示すように、携帯端末制御システムは、ＧＰＳ衛星からＧＰＳ信号を受信する機能を備えた携帯電話装置１０と、網側サーバ（制御情報用サーバ）２０とを含む。また、図１に示すように、携帯電話装置１０と網側サーバ２０とは、基地局３０、及び携帯電話網やインターネットを含む通信ネットワーク１００を介して接続される。以下、携帯電話装置１０と網側サーバ２０とが、基地局３０及び通信ネットワーク１００を介してデータを送受信する場合、単に「通信ネットワーク１００を介してデータを送受信する」等と表現する。
【００２３】
携帯電話装置１０は、ユーザが使用する携帯端末であり、具体的には、携帯電話機やＰＨＳ端末である。また、携帯電話装置１０は、例えば、ＰＤＡ等の携帯端末であってもよい。なお、図１では、１つの携帯電話装置１０を示しているが、携帯端末制御システムは、複数の携帯電話装置１０を含んでもよい。
【００２４】
図２は、携帯電話装置１０の構成の一例を示すブロック図である。図２に示すように、携帯電話装置１０は、携帯電話送受信処理手段１１、ＧＰＳ情報受信処理手段１２、規制制御手段１３、道路情報記憶手段１４、電車経路情報記憶手段１５及び動作禁止情報記憶手段１６を含む。
【００２５】
ＧＰＳ情報受信処理手段１２は、具体的には、プログラムに従って動作する携帯電話装置１０のＣＰＵ及びＧＰＳ受信機（ＧＰＳ受信回路）によって実現される。ＧＰＳ情報受信処理手段１２は、ＧＰＳ信号を受信し、受信したＧＰＳ信号に基づいて、携帯電話装置１０の位置情報（例えば、緯度及び経度）を算出する機能を備える。本実施の形態では、ＧＰＳ情報受信処理手段１２は、所定時間毎にＧＰＳ信号を受信し、携帯電話装置１０の現在の位置情報を逐次更新する。
【００２６】
道路情報記憶手段１４、電車経路情報記憶手段１５及び動作禁止情報記憶手段１６は、具体的には、携帯電話装置１０が搭載するメモリ等の記憶部によって実現される。道路情報記憶手段１４は、道路がある位置（例えば、高速道路がある位置）を示す道路情報（例えば、緯度及び経度）を記憶する。また、電車経路情報記憶手段１５は、電車の線路がある位置を示す電車経路情報（例えば、緯度及び経度）を記憶する。また、動作禁止情報記憶手段１６は、携帯電話装置１０の使用そのもの（例えば、通話や電子メール操作）を禁止すべき場所（例えば、病院や映画館等の禁止場所）がある位置を示す動作禁止情報（例えば、緯度及び経度）を記憶する。
【００２７】
なお、本実施の形態では、道路情報記憶手段１４、電車経路情報記憶手段１５及び動作禁止情報記憶手段１６が記憶する情報は、網側サーバ２０から通信ネットワーク１００を介してダウンロードされる。また、道路情報記憶手段１４、電車経路情報記憶手段１５及び動作禁止情報記憶手段１６は、共通の記憶部（例えば、メモリ）を用いて実現されてもよく、それぞれ別々の記憶部を用いて実現されてもよい。
【００２８】
携帯電話送受信処理手段１１は、具体的には、プログラムに従って動作する携帯電話装置１０のＣＰＵ及び送受信部によって実現される。携帯電話送受信処理手段１１は、通信ネットワーク１００を介して、網側サーバ２０と各種データを送受信する機能を備える。
【００２９】
本実施の形態では、携帯電話送受信処理手段１１は、道路情報や電車経路情報、動作禁止情報のダウンロード要求を、通信ネットワーク１００を介して網側サーバ２０に送信する。この場合、携帯電話送受信処理手段１１は、ＧＰＳ情報受信処理手段１２が求めた携帯電話装置１０の位置情報を含むダウンロード要求を網側サーバ２０に送信する。
【００３０】
また、携帯電話送受信処理手段１１は、道路情報や電車経路情報、動作禁止情報を、通信ネットワーク１００を介して網側サーバ２０から受信する。また、携帯電話送受信処理手段１１は、受信した道路情報を道路情報記憶手段１４に記憶させる。また、携帯電話送受信処理手段１１は、受信した電車経路情報を電車経路情報記憶手段１５に記憶させる。また、携帯電話送受信処理手段１１は、受信した動作禁止情報を動作禁止情報記憶手段１６に記憶させる。
【００３１】
規制制御手段１３は、具体的には、プログラムに従って動作する携帯電話装置１０のＣＰＵによって実現される。規制制御手段１３は、ＧＰＳ情報受信処理手段１２が求めた位置情報と、道路情報記憶手段１４や電車経路情報記憶手段１５、動作禁止情報記憶手段１６が記憶する情報とに基づいて、携帯電話装置１０の使用規制の制御を行う機能を備える。
【００３２】
例えば、規制制御手段１３は、携帯電話装置１０の位置情報が道路情報に含まれる位置（例えば、高速道路の位置）と合致する場合には、携帯電話装置１０をドライブモード（操作禁止状態）に設定する。また、例えば、規制制御手段１３は、携帯電話装置１０の位置情報が線路経路情報に含まれる位置（例えば、電車の線路の位置）と合致する場合には、携帯電話装置１０をマナーモード（音声発着禁止状態）に設定する。また、例えば、規制制御手段１３は、携帯電話装置１０の位置情報が動作禁止情報に含まれる位置（例えば、病院や映画館の位置）と合致する場合には、携帯電話装置１０の電源をオフ（無線通信禁止状態）に設定する。
【００３３】
網側サーバ（制御情報用サーバ）２０は、例えば、携帯電話装置１０の使用規制を制御するための各種情報のダウンロードサービスを提供するサービス事業者（例えば、通信キャリア）が運営するサーバである。網側サーバ２０は、具体的には、ワークステーションやパーソナルコンピュータ等の情報処理装置によって実現される。
【００３４】
図３は、網側サーバ２０の構成の一例を示すブロック図である。図３に示すように、網側サーバ２０は、端末要求分析部２１、道路情報データベース２２、電車経路情報データベース２３及び動作禁止情報データベース２４を含む。
【００３５】
道路情報データベース２２、電車経路情報データベース２３及び動作禁止情報データベース２４は、具体的には、磁気ディスク装置や光ディスク装置等のデータベース装置によって実現される。道路情報データベース２２は、道路情報を予め蓄積する。また、電車経路情報データベース２３は、電車経路情報を予め蓄積する。また、動作禁止情報データベース２４は、動作禁止情報を予め蓄積する。
【００３６】
なお、道路情報データベース２２、電車経路情報データベース２３及び動作禁止情報データベース２４は、共通のデータベース装置を用いて実現されてもよく、それぞれ別々のデータベース装置を用いて実現されてもよい。
【００３７】
端末要求分析部２１は、具体的には、プログラムに従って動作する情報処理装置のＣＰＵ及びネットワークインタフェース部によって実現される。端末要求分析部２１は、道路情報や電車経路情報、動作禁止情報のダウンロード要求を、通信ネットワーク１００を介して携帯電話装置１０から受信する機能を備える。
【００３８】
また、端末要求分析部２１は、ダウンロード要求を受信すると、道路情報データベース２２や電車経路情報データベース２３、動作禁止情報データベース２４からダウンロードデータを抽出する機能を備える。また、端末要求分析部２１は、抽出したダウンロードデータを、通信ネットワーク１００を介して携帯電話装置１０に送信する機能を備える。
【００３９】
本実施の形態では、端末要求分析部２１は、道路情報の送信要求を含むダウンロード要求を受信すると、ダウンロード要求に含まれる位置情報に基づいて、道路情報データベース２２から道路情報を抽出する。例えば、端末要求分析部２１は、ダウンロード要求に含まれる位置情報に示される位置から所定距離（例えば、１０ｋｍ）以内の道路位置を含む道路情報を、道路情報データベース２２から抽出する。そして、端末要求分析部２１は、抽出した道路情報を携帯電話装置１０に送信する。
【００４０】
また、本実施の形態では、端末要求分析部２１は、電車経路情報の送信要求を含むダウンロード要求を受信すると、ダウンロード要求に含まれる位置情報に基づいて、電車経路情報データベース２３から電車経路情報を抽出する。例えば、端末要求分析部２１は、ダウンロード要求に含まれる位置情報に示される位置から所定距離（例えば、１０ｋｍ）以内の線路位置を含む電車経路情報を、電車経路情報データベース２３から抽出する。そして、端末要求分析部２１は、抽出した電車経路情報を携帯電話装置１０に送信する。
【００４１】
また、本実施の形態では、端末要求分析部２１は、動作禁止情報の送信要求を含むダウンロード要求を受信すると、ダウンロード要求に含まれる位置情報に基づいて、動作禁止情報データベース２４から動作禁止情報を抽出する。例えば、端末要求分析部２１は、ダウンロード要求に含まれる位置情報に示される位置から所定距離（例えば、１０ｋｍ）以内の位置を含む動作禁止情報を、動作禁止情報データベース２４から抽出する。そして、端末要求分析部２１は、抽出した動作禁止情報を携帯電話装置１０に送信する。
【００４２】
本実施の形態では、ダウンロード要求に含まれる位置情報に示される位置から所定距離以内の位置を含む道路情報や電車経路情報、動作禁止情報のみを抽出してダウンロードできる。そのため、一度に大量のデータの送受信を行うことによって、ダウンロードに時間がかかる事態を防止することができ、必要なときに最低限の情報更新のみを行うことができる。
【００４３】
なお、本実施の形態において、携帯電話装置１０の記憶装置は、携帯電話装置１０の使用規制を制御するための各種プログラムを記憶している。例えば、携帯電話装置１０の記憶装置は、コンピュータに、携帯端末の使用を規制するための条件である規制条件を複数記憶する規制条件記憶処理と、規制条件記憶処理で記憶した各規制条件に基づいて、携帯端末の使用を規制する使用規制処理とを実行させ、規制条件記憶処理で、相互に異なる条件を示す規制条件を記憶する処理を実行させ、使用規制処理で、所定の優先順位に従って、記憶した各規制条件に合致するか否かを判定することによって、携帯端末の使用を規制する処理を実行させるための携帯端末制御プログラムを記憶している。
【００４４】
次に、動作について説明する。図４は、携帯電話装置１０の使用規制の制御を行うか否かを設定し、設定内容に従って携帯電話装置１０の使用規制の制御を行う処理の一例を示す流れ図である。ユーザは、携帯電話装置１０を操作して、予め携帯電話装置１０の使用規制の自動制御を行うか否かの設定指示を行う。携帯電話装置１０は、ユーザの操作に従って、使用規制の自動制御を設定する旨の指示が入力されたか否かを判断する（ステップＳ１０１）。
【００４５】
携帯電話装置１０は、使用規制の自動制御を行う旨の指示が入力されたと判断すると、道路情報、電車経路情報又は動作禁止情報の中のいずれの情報に基づいて、携帯電話装置１０の使用規制の自動制御を行うか否かを判断する。この場合、例えば、携帯電話装置１０は、使用規制の自動制御を行う旨の指示が入力されたと判断すると、いずれの使用規制の自動制御を行うかを入力すべき旨を液晶表示部等の表示部に表示し、ユーザに入力指示を促す。
【００４６】
携帯電話装置１０は、道路情報に基づく使用規制の自動制御が指示されたか否かを判断する（ステップＳ１０２）。携帯電話装置１０は、道路情報に基づく使用規制の自動制御が指示されたと判断すると、道路情報に基づく使用規制の自動制御を行う旨を設定する（ステップＳ１０３）。この場合、例えば、携帯電話装置１０は、所定の設定情報に、道路情報に基づく使用規制の自動制御を行う旨の情報を格納する。
【００４７】
また、携帯電話装置１０は、電車経路情報に基づく使用規制の自動制御が指示されたか否かを判断する（ステップＳ１０４）。携帯電話装置１０は、電車経路情報に基づく使用規制の自動制御が指示されたと判断すると、電車経路情報に基づく使用規制の自動制御を行う旨を設定する（ステップＳ１０５）。この場合、例えば、携帯電話装置１０は、所定の設定情報に、電車経路情報に基づく使用規制の自動制御を行う旨の情報を格納する。
【００４８】
また、携帯電話装置１０は、動作禁止情報に基づく使用規制の自動制御が指示されたか否かを判断する（ステップＳ１０６）。携帯電話装置１０は、動作禁止情報に基づく使用規制の自動制御が指示されたと判断すると、動作禁止情報に基づく使用規制の自動制御を行う旨を設定する（ステップＳ１０７）。この場合、例えば、携帯電話装置１０は、所定の設定情報に、動作禁止情報に基づく使用規制の自動制御を行う旨の情報を格納する。
【００４９】
以上のように、ステップＳ１０１〜Ｓ１０７の処理が実行されることによって、道路情報や電車経路情報、動作禁止情報に基づいて、携帯電話装置１０の使用規制の自動制御が行われることが設定される。また、使用規制の自動制御を行うか否かの初期設定さえ行えば、携帯電話装置１０の使用規制の自動制御が行えるので、ユーザによる設定操作等の操作負担を極力低減することができる。
【００５０】
なお、携帯電話装置１０は、道路情報、電車経路情報又は動作禁止情報のいずれか１つに基づいて使用規制の自動制御を行ってもよく、いずれか２つに基づいて使用規制の自動制御を行ってもよい。また、携帯電話装置１０は、道路情報、電車経路情報及び動作禁止情報の全てに基づいて、使用規制の自動制御を行ってもよい。
【００５１】
また、携帯電話装置１０は、道路情報や電車経路情報、動作禁止情報のダウンロードが必要であるか否かを判断する（ステップＳ１０８）。例えば、携帯電話装置１０は、ステップＳ１０２〜Ｓ１０７において、道路情報、電車経路情報又は動作禁止情報のうちの少なくとも１つの情報に基づく使用規制の自動制御を行う旨を設定した場合には、ダウンロードが必要であると判断する。
【００５２】
ダウンロードが必要であると判定すると、携帯電話装置１０は、携帯電話装置１０の現在の位置情報を取得する（ステップＳ１０９）。この場合、例えば、携帯電話装置１０のＧＰＳ情報受信処理手段１２は、受信したＧＰＳ信号に基づいて、携帯電話装置１０の位置情報（例えば、緯度及び経度）を求める。
【００５３】
また、携帯電話送受信処理手段１１は、ダウンロード要求を、通信ネットワーク１００を介して網側サーバ２０に送信する（ステップＳ１１０）。この場合、携帯電話送受信処理手段１１は、道路情報に基づく使用規制の自動制御を行う旨を設定している場合には、道路情報の送信要求を含むダウンロード要求を網側サーバ２０に送信する。また、携帯電話送受信処理手段１１は、電車経路情報に基づく使用規制の自動制御を行う旨を設定している場合には、電車経路情報の送信要求を含むダウンロード要求を網側サーバ２０に送信する。また、携帯電話送受信処理手段１１は、動作禁止情報に基づく使用規制の自動制御を行う旨を設定している場合には、動作禁止情報の送信要求を含むダウンロード要求を網側サーバ２０に送信する。また、携帯電話送受信処理手段１１は、ＧＰＳ情報受信処理手段１２が求めた位置情報を含むダウンロード要求を網側サーバ２０に送信する。
【００５４】
網側サーバ２０の端末要求分析部２１は、ダウンロード要求を受信すると、道路情報データベース２２や電車経路情報データベース２３、動作禁止情報データベース２４から、ダウンロードデータを抽出する。そして、端末要求分析部２１は、抽出したダウンロードデータを、通信ネットワーク１００を介して携帯電話装置１０に送信する。
【００５５】
例えば、端末要求分析部２１は、道路情報の送信要求を含むダウンロード要求を受信すると、ダウンロード要求に含まれる位置情報に基づいて、道路情報データベース２２から道路情報を抽出する。そして、端末要求分析部２１は、抽出した道路情報を携帯電話装置１０に送信する。また、例えば、端末要求分析部２１は、道路情報の送信要求を含むダウンロード要求を受信すると、ダウンロード要求に含まれる位置情報に基づいて、電車経路情報データベース２３から電車経路情報を抽出する。そして、端末要求分析部２１は、抽出した電車経路情報を携帯電話装置１０に送信する。また、例えば、端末要求分析部２１は、動作禁止情報の送信要求を含むダウンロード要求を受信すると、ダウンロード要求に含まれる位置情報に基づいて、動作禁止情報データベース２４から動作禁止情報を抽出する。そして、端末要求分析部２１は、抽出した動作禁止情報を携帯電話装置１０に送信する。
【００５６】
携帯電話装置１０の携帯電話送受信処理手段１１は、ダウンロードデータを受信すると、受信したダウンロードデータを、道路情報記憶手段１４や電車経路情報記憶手段１５、動作禁止情報記憶手段１６に記憶させる（ステップＳ１１１）。例えば、携帯電話送受信処理手段１１は、ダウンロードデータとして受信した道路情報を、道路情報記憶手段１４に記憶させる。また、携帯電話送受信処理手段１１は、ダウンロードデータとして受信した電車経路情報を、電車経路情報記憶手段１５に記憶させる。また、携帯電話送受信処理手段１１は、ダウンロードデータとして受信した動作禁止情報を、動作禁止情報記憶手段１６に記憶させる。
【００５７】
以上のように、ステップＳ１０８〜Ｓ１１１までの処理が実行されることによって、道路情報記憶手段１４や電車経路情報記憶手段１５、動作禁止情報記憶手段１６が記憶する情報が更新される。なお、携帯電話装置１０は、例えば、ユーザのダウンロードの指示操作に従って、ステップＳ１０８〜Ｓ１１１の処理を実行し、道路情報や電車経路情報、動作禁止情報のダウンロードを行う。また、携帯電話装置１０は、例えば、使用規制の自動制御を行うことを設定すると、所定時間毎にステップＳ１０８〜Ｓ１１１の処理を実行し、道路情報や電車経路情報、動作禁止情報のダウンロードを行う。
【００５８】
携帯電話装置１０は、所定のタイミングで、携帯電話装置１０の使用規制の制御を行うか否かを判定する規制制御判定処理を実行する（ステップＳ１１２）。そして、携帯電話装置１０の規制制御手段１３は、使用規制の制御を行うと判定すると、判定した規制方法に従って、携帯電話装置１０の使用規制を実行する（ステップＳ１１３）。
【００５９】
例えば、規制制御手段１３は、使用規制の自動制御を行うことを設定すると、所定時間毎（例えば、ＧＰＳ信号を受信し、携帯電話装置１０の現在の位置情報を算出する毎）にステップＳ１１２を実行し、携帯電話装置１０の使用規制の制御を行うか否かを判定する。そして、例えば、規制制御手段１３は、道路情報に基づく使用規制を行うと判定すると、携帯電話装置１０をドライブモードに設定する。また、例えば、規制制御手段１３は、電車経路情報に基づく使用規制を行うと判定すると、携帯電話装置１０をマナーモードに設定する。また、例えば、規制制御手段１３は、動作禁止情報に基づく使用規制を行うと判定すると、携帯電話装置１０の電源をオフにする。
【００６０】
図５は、携帯電話装置１０が実行する規制制御判定処理の一例を示す流れ図である。ステップＳ１１２の規制制御判定手段において、携帯電話装置１０は、携帯電話装置１０の現在の位置情報を取得する（ステップＳ２０１）。この場合、例えば、携帯電話装置１０のＧＰＳ情報受信処理手段１２は、受信したＧＰＳ信号に基づいて、携帯電話装置１０の位置情報（例えば、緯度及び経度）を求める。
【００６１】
また、規制制御手段１３は、動作禁止情報に基づく使用規制の制御を行うことを設定している場合には、ステップＳ２０１で求めた位置情報が、動作禁止情報に含まれる位置（例えば、病院や映画館の位置）と合致するか否かを判定する（ステップＳ２０２）。そして、規制制御手段１３は、動作禁止情報に含まれる位置に合致すると判定すると、携帯電話装置１０の電源をオフ（無線通信禁止状態）にすると決定する（ステップＳ２０３）。
【００６２】
また、規制制御手段１３は、ステップＳ２０２で動作禁止情報に含まれる位置に合致しないと判定すると、道路情報に基づく使用規制の制御を行うことを設定している場合には、ステップＳ２０１で求めた位置情報が、道路情報に含まれる位置（例えば、高速道路の位置）と合致するか否かを判定する（ステップＳ２０４）。そして、規制制御手段１３は、道路情報に含まれる位置に合致すると判定すると、携帯電話装置１０をドライブモード（操作禁止状態）に設定すると決定する（ステップＳ２０５）。
【００６３】
なお、規制制御手段１３は、携帯電話装置１０の速度情報を求め、位置情報に加えて速度情報に基づいて、携帯電話装置１０をドライブモードに設定するか否かを決定してもよい。例えば、規制制御手段１３は、ＧＰＳ情報受信処理手段１２が求めた位置情報に基づいて、携帯電話装置１０が所定時間以内に移動した距離を求める。また、規制制御手段１３は、求めた距離を所定時間で除算することによって、携帯電話装置１０の移動速度を求める。そして、規制制御手段１３は、移動速度が所定速度以上であると判定すると、ユーザが車を運転中であると判定し、携帯電話装置１０をドライブモードに設定すると決定してもよい。
【００６４】
また、規制制御手段１３は、ステップＳ２０４で道路情報に含まれる位置に合致しないと判定すると、電車経路情報に基づく使用規制の制御を行うことを設定している場合には、ステップＳ２０１で求めた位置情報が、電車経路情報に含まれる位置（例えば、線路の位置）と合致するか否かを判定する（ステップＳ２０６）。そして、規制制御手段１３は、電車経路情報に含まれる位置に合致すると判定すると、携帯電話装置１０をマナーモード（音声発着禁止状態）に設定すると決定する（ステップＳ２０７）。
【００６５】
なお、規制制御手段１３は、携帯電話装置１０の速度情報を求め、位置情報に加えて速度情報に基づいて、携帯電話装置１０をマナーモードに設定するか否かを決定してもよい。例えば、規制制御手段１３は、ＧＰＳ情報受信処理手段１２が求めた位置情報に基づいて、携帯電話装置１０が所定時間以内に移動した距離を求める。また、規制制御手段１３は、求めた距離を所定時間で除算することによって、携帯電話装置１０の移動速度を求める。そして、規制制御手段１３は、移動速度が所定速度以上であると判定すると、ユーザが電車で移動中であると判定し、携帯電話装置１０をマナーモードに設定すると決定してもよい。
【００６６】
そして、規制制御手段１３は、ステップＳ２０１〜Ｓ２０７の設定結果に従って、ステップＳ１１３において、携帯電話装置１０の使用規制の制御を行う。
【００６７】
以上のように、ステップＳ２０１〜Ｓ２０７までの処理が実行されることによって、規制レベルが高い順に優先して携帯電話装置１０の使用規制を制御する。本実施の形態では、最も規制レベルの高い動作禁止情報に基づく使用規制を最も優先して判定する。すなわち、携帯電話装置１０が使用そのものを禁止すべき位置（例えば、病院や映画館）に存在するか否かが最も優先して判定される。そして、携帯電話装置１０が使用そのものを禁止すべき位置に存在すると判定されると、携帯電話装置１０の電源をオフにするように使用規制制御される。
【００６８】
また、本実施の形態では、２番目に規制レベルの高い道路情報に基づく使用規制を２番目に優先して判定する。すなわち、使用そのものを禁止すべき位置に存在するか否かの次に優先して、携帯電話装置１０が道路上（例えば、高速道路上）に存在するか否かが判定される。そして、携帯電話装置１０が道路上に存在すると判定されると、携帯電話装置１０をドライブモードに設定するように使用規制制御される。
【００６９】
以上のように、本実施の形態によれば、携帯電話装置１０の規制制御手段１３は、予め初期設定された設定内容に従って、携帯電話装置１０の使用規制を制御する。そのため、予め初期設定さえすれば携帯電話装置１０の使用規制を自動制御することができ、ユーザの操作負担を増加させることなく、携帯電話装置１０の使用規制を行うことができる。また、規制レベルの高い順に従って携帯電話装置１０の使用規制を行うので、携帯電話装置１０の使用規制を適切に行うことができる。従って、ユーザの操作負担を増加させることなく、携帯端末の使用規制を適切に行えるようにすることができる。
【００７０】
また、本実施の形態によれば、携帯電話装置１０の使用規制をユーザ操作に依存することなく自動的に行えるので、携帯電話装置１０の使用マナーを徹底することができる。例えば、現在、携帯電話装置１０が出力する電波の影響により各種機械（例えば、医療機器）への悪影響や、通話しながら車を運転したことによる事故の発生が問題となっている。本実施の形態によれば、ユーザ個人のマナーだけに依存することなく、携帯電話装置１０の使用規制を自動的に行うことができ、携帯電話装置１０の使用規制促進について社会的に貢献することができる。
【００７１】
また、本実施の形態によれば、使用規制を行うための制御情報（本例では、交通情報、電車経路情報及び動作禁止情報）の種類を細かく設定して使用規制を行えるので、携帯電話装置１０の状況に応じて適切な使用規制方法を選択して、携帯電話装置１０の使用規制を制御できる。例えば、携帯電話装置１０の状況に応じて、携帯電話装置１０の電源をオフにしたり、携帯電話装置１０をドライブモードに設定したり、携帯電話装置１０をマナーモードに設定したりすることができる。
【００７２】
また、本実施の形態によれば、ＧＰＳ機能や地図情報のダウンロード機能等、既存の携帯電話機等の携帯電話装置１０が搭載する機能を利用して、携帯電話装置１０の使用規制の自動制御を実現することができる。そのため、使用規制の自動制御を行うためにかかる携帯電話装置１０側のコストインパクトを低減することができる。
【００７３】
また、本実施の形態によれば、使用規制を行うための制御情報（本例では、交通情報、電車経路情報及び動作禁止情報）を予め網側サーバ２０が管理する。そのため、網側サーバ２０が管理する制御情報を更新することによって、携帯電話装置１０の使用規制を行うための制御情報を随時一括して更新することができる。
【００７４】
なお、本実施の形態で示した携帯端末制御方法を用いて、通信ネットワーク１００を介した各種サービス提供することも可能である。例えば、ユーザは、携帯電話装置１０を用いて予め所定のランドマーク情報を網側サーバ２０に登録し、網側サーバ２０は、予め登録された情報に基づいて、携帯電話装置１０に各種サービスを提供してもよい。
【００７５】
例えば、ユーザが子供をもつ親である場合、ユーザは、携帯電話装置１０を用いて、子供に出入りさせたくない場所（例えば、繁華街や人気のない公園）を示す情報と、親であるユーザの電子メールアドレスとを網側サーバ２０に予め登録してもよい。この場合、網側サーバ２０は、例えば、子供の携帯電話装置１０から受信した位置情報に基づいて、携帯電話装置１０が予め登録された場所に存在するか否かを判定する。そして、網側サーバ２０は、予め登録された場所に存在すると判定すると、予め登録された電子メールアドレスに基づいて、親であるユーザが使用する端末（携帯電話機やパーソナルコンピュータ等）に通知するようにしてもよい。
【産業上の利用可能性】
【００７６】
本発明は、携帯電話機等の携帯端末の使用規制を自動制御する用途に適用できる。
【図面の簡単な説明】
【００７７】
【図１】本発明による携帯端末制御システムの構成の一例を示すブロック図である。
【図２】携帯電話装置の構成の一例を示すブロック図である。
【図３】網側サーバの構成の一例を示すブロック図である。
【図４】携帯電話装置の使用規制の制御を行うか否かを設定し、設定内容に従って携帯電話装置の使用規制の制御を行う処理の一例を示す流れ図である。
【図５】携帯電話装置が実行する規制制御判定処理の一例を示す流れ図である。
【符号の説明】
【００７８】
１０  携帯電話装置
１１  携帯電話送受信処理手段
１２  ＧＰＳ情報受信処理手段
１３  規制制御手段
１４  道路情報記憶手段
１５  電車経路情報記憶手段
１６  操作禁止情報記憶手段
２０  網側サーバ（制御情報用サーバ）
２１  端末要求分析部
２２  道路情報データベース
２３  電車経路情報データベース
２４  動作禁止情報データベース
３０  基地局
１００  通信ネットワーク
【図１】
2007274427.tif 000003
【図２】
2007274427.tif 000004
【図３】
2007274427.tif 000005
【図４】
2007274427.tif 000006
【図５】
2007274427.tif 000007